(57)【要約】電子装置の複数の機能の制御は、複数の切り替え位置の間で調節可能なスイッチボディ、外側面部分３０２ｂと末端面部分３０２ａとをもち、スイッチボディから延びる一次アクチュエータ３０２であって、複数の切り替え位置の間で前記スイッチボディを調節する一次アクチュエータ、及び一次アクチュエータの外側面の１以上の部分で作動エネルギーにより動作する圧力センサ３１４を有する制御エレメント１０２を使用することで提供される。第一の機能は、圧力センサの作動の間に一次アクチュエータの動きに応答して制御される。さらに、第二の機能は、圧力センサの作動を除いて、制御エレメントの一次アクチュエータの動きに応答して制御される。さらに、第三の機能は、一次アクチュエータの動きを除いて、少なくとも第一の期間について圧力センサの作動に応答して制御される。
2013531919.tif 000002
【特許請求の範囲】
【請求項１】
複数の切り替え位置を有するスイッチボディ、外側面部分と末端面部分とをもち、前記スイッチボディから延びる一次アクチュエータであって、前記複数の切り替え位置の間で前記スイッチボディを調節する一次アクチュエータ、及び前記一次アクチュエータの前記外側面の１以上の部分で作動エネルギーにより動作する圧力センサを備える単一の制御エレメントを使用して電子装置の複数の機能を制御する方法であって、
前記圧力センサの作動の間に前記一次アクチュエータの動きに応答して前記電子装置の第一の機能を制御するステップと、
前記圧力センサの前記作動を除いて、前記一次アクチュエータの前記動きに応答して前記電子装置の第二の機能を制御するステップと、
前記一次アクチュエータの動きを除いて、前記圧力センサの前記作動に応答して前記電子装置の第三の機能を制御するステップと、
を含むことを特徴とする方法。
【請求項２】
前記圧力センサの前記作動に後続する前記一次アクチュエータの前記動きに応答して前記電子装置の第四の機能を制御するステップを更に含む、
請求項１記載の方法。
【請求項３】
第二の期間よりも長い第三の期間について、前記圧力センサの前記作動に後続する前記一次アクチュエータの前記動きに応答して前記装置の第五の機能を制御するステップを更に含む、
請求項２記載の方法。
【請求項４】
第二の期間の間に前記圧力センサの少なくとも２つの作動に後続する前記一次アクチュエータの前記動きに応答して前記電子装置の第四の機能を制御するステップを更に含む、
請求項１記載の方法。
【請求項５】
前記一次アクチュエータの前記動きに基づいて前記電子装置の動作パラメータを変えるステップを更に含む、
請求項１記載の方法。
【請求項６】
前記動作パラメータは、会話グループのパラメータ及び音量パラメータから構成されるグループから選択される、
請求項５記載の方法。
【請求項７】
音量機能、選局機能、消音機能、輝度選択機能、「オン／オフ」機能、再生機能、巻き戻し機能、早送り機能、ポーズ機能、チャネルリコール機能、カメラ機能、会話グループ選択機能、メディアプロファイル選択機能、個人呼出し機能、グループ呼出し機能、緊急呼出し機能、マップ選択機能、優先度選択機能、ユーザインタフェース選択機能及びPush  To  Talk機能から構成されるグループから前記第一の機能、第二の機能及び第三の機能のうちの少なくとも１つを選択するステップを更に含む、
請求項１記載の方法。
【請求項８】
複数の切り替え位置の間で調節可能なスイッチボディ、外側面部分と末端面部分とをもち、前記スイッチボディから延びる一次アクチュエータであって、前記複数の切り替え位置の間で前記スイッチボディを調節する一次アクチュエータ、及び前記一次アクチュエータの前記外側面の１以上の部分で作動エネルギーにより動作する圧力センサを有する制御エレメントと、
前記制御エレメントに結合され、（ａ）前記圧力センサの作動の間に前記一次アクチュエータの動きに応答して前記電子装置の第一の機能を制御し、（ｂ）前記圧力センサの前記作動を除いて、前記制御エレメントの一次アクチュエータの前記動きに応答して前記電子装置の第二の機能を制御し、（ｃ）前記一次アクチュエータの動きを除いて、少なくとも第一の期間について前記圧力センサの前記作動に応答して前記電子装置の第三の機能を制御する、少なくとも１つのコントローラと、
を備えることを特徴とする電子装置。
【請求項９】
前記コントローラは、第二の期間について前記圧力センサの前記作動に後続する前記一次アクチュエータの前記動きに応答して前記電子装置の第四の機能を制御する、
請求項８記載の電子装置。
【請求項１０】
前記コントローラは、第二の期間について前記圧力センサの少なくとも２つの作動に後続する前記一次アクチュエータの前記動きに応答して前記電子装置の第四の機能を制御する、
請求項８記載の電子装置。
【発明の詳細な説明】
【技術分野】
【０００１】
本発明は、通信システムに関し、より詳細には、多機能制御エレメントを使用して無線送受信機を制御するシステム及び方法に関する。
【背景技術】
【０００２】
様々なタイプの従来の通信ネットワークが存在する。係る通信ネットワークは、ＬＭＲ（Land  Mobile  Radio）ネットワーク、ＷＣＤＭＡ（Wideband  Code  Division  Multiple  Access）に基づくネットワーク、ＣＤＭＡ（Code  Division  Multiple  Access）に基づくネットワーク、ＷＬＡＮ（Wireless  Local  Area  Network）、ＥＤＧＥ（Enhanced  Data  rates  for  GSM  Evolution）に基づくネットワーク、及びＬＴＥ（Long  Term  Evolution）に基づくネットワークを含む。これらの通信ネットワークのそれぞれは、複数の通信装置と、通信装置間の通信を容易にするために構成されるネットワーク機器とを一般に含む。それぞれの通信ネットワークは、グループコールサービスをサービスユーザに提供することがある。グループコールサービスは、一般に、サービスユーザ（例えば第一の応答者）が特定の会話グループ又はソーシャルメディアプロファイルに関連される他のサービスユーザ（たとえば他の第一の応答者）に同時に会話をすることができるサービスである。グループコールサービスは、ＰＴＴ（Push-To-Talk）グループコールサービスにより一般に実現される。従って、ＰＴＴグループコールサービスは、通信装置のＰＴＴボタンを押すことにより、ＰＴＴのサービスユーザが特定の会話グループ又はソーシャルメディアプロファイルの他のＰＴＴのサービスユーザに即座に会話をすることができるインスタントサービスである。
【０００３】
これらの通信装置の幾つかのタイプは、ＬＭＲ（Land  Mobile  Radio）装置を含む。それぞれの装置は、一般的に、その無線トランシーバを制御する複数のロータリノブ及びＰＴＴボタンを含む。多くのコンフィギュレーションでは、これらのロータリノブは、ラジオのトップパネルに配置される。一般に、ロータリノブの第一のノブは、ＰＴＴコールが行われる個人又は会話グループを選択するために提供され、ロータリノブの第二のノブは、ラジオの音量を制御するために提供される。これらのノブに加えて、ＰＴＴボタンは、一般的にラジオのサイドパネルに配置される。結果的に、ラジオのユーザは、一般に、ラジオの無線受信機を制御するために１本の指のみを使用することができない。さらに、ラジオを保持し、複数のロータリノブを通してラジオの機能設定を変えるために、２つの手が必要とされる。
【発明の概要】
【課題を解決するための手段】
【０００４】
本発明の実施の形態は、電子装置を制御するシステム及び方法に関する。本発明の第一の実施の形態では、複数の切り替え位置間で調節可能なスイッチボディ、外側面及び末端面（lateral  and  distal  surface）の部分をもち、スイッチボディから延び、複数の切り替え位置間でスイッチボディを調節する一次アクチュエータ、及び前記一次アクチュエータの外側面の１以上の部分で作動エネルギーにより動作可能な圧力センサ、を含む単一の制御エレメントを使用して、電子装置の複数の機能を制御する方法が提供される。本方法は、圧力センサの作動の間に一次アクチュエータの動きに応答して電子装置の第一の機能を制御するステップを含む。本方法は、圧力センサの作動を除いて、制御エレメントの一次アクチュエータの動きに応答して、電子装置の第二の機能を制御するステップを更に含む。また、本方法は、一次アクチュエータの動きを除いて、少なくとも第一の期間について圧力センサの作動に応答して、電子装置の第三の機能を制御するステップを含む。
【０００５】
本発明の第二の実施の形態において、電子装置は、制御エレメントと、制御エレメントに結合される少なくとも１つのコントローラとを含む。制御エレメントは、複数の切り替え位置の間で調節可能なスイッチボディ、外側面及び末端面（lateral  and  distal  surface）の部分をもち、スイッチボディから延びる一次アクチュエータであって、複数の切り替え位置間でスイッチボディを調節する一次アクチュエータ、及び、一次アクチュエータの外側面の１以上の部分で作動エネルギーにより動作可能な圧力センサを含む。電子装置において、コントローラは、（ａ）圧力センサの作動の間に一次アクチュエータの動きに応答して、電子装置の第一の機能を制御し、（ｂ）圧力センサの作動を除いて、制御エレメントの一次アクチュエータの動きに応答して、電子装置の第二の機能を制御し、及び（ｃ）一次アクチュエータの動きを除いて、少なくとも第一の期間の間に圧力センサの作動に応答して、電子装置の第三の機能を制御する、ように構成される。
【０００６】
本発明の第三の実施の形態では、無線送受信機が提供される。無線送受信機は、１以上の無線周波回路とロータリ制御エレメントとを含む。ロータリ制御エレメントは、複数の切り替え位置の間で移動可能なロータリスイッチボディと、スイッチボディから延び、外側面及び末端面（lateral  and  distal  surface）の部分をもつ一次アクチュエータであって、複数の切り替え位置間でスイッチボディを移動させる一次アクチュエータ、及び一次アクチュエータの前記外側面でアクセス可能な圧力センサを含む。無線送受信機は、制御エレメント及び無線周波数回路に結合される少なくとも１つのコントローラを含み、コントローラは、（ａ）圧力センサの作動の間に一次アクチュエータの動きに応答して無線送受信機の第一の機能を制御し、（ｂ）圧力センサの作動を除いて、制御エレメントの一次アクチュエータの動きに応答して無線送受信機の第二の機能を制御し、及び（ｃ）一次アクチュエータの動きを除いて、少なくとも第一の期間の間に圧力センサの作動に応答して、無線送受信機のＰＴＴ（Push  to  Talk）機能を作動する、ように構成される。
【図面の簡単な説明】
【０００７】
以下の添付図面を参照して実施の形態が記載され、図面を通して、同じ参照符号は同じアイテムを表している。
【図１】本発明の実施の形態に係る例示的な通信装置を例示する図である。
【図２】図１に示される例示的な通信装置の詳細なブロック図である。
【図３】本発明の実施の形態に係る、制御エレメントの第一の例示的な実施の形態を含む、図１における通信装置の一部の上面図である。
【図４】本発明の実施の形態に係る、制御エレメントの第一の例示的な実施の形態を含む、図１における通信装置の一部の正面図である。
【図５】断面５−５に沿った図１における通信装置の一部の断面図である。
【図６】本発明の実施の形態に係る、制御エレメントの第二の例示的な実施の形態を含む通信装置１００の一部の断面図である。
【図７】本発明を理解するために有効な通信装置の無線送受信機を制御する例示的な方法のフローダイアグラムである。
【発明を実施するための形態】
【０００８】
添付図面を参照して本発明が記載される。図面は、スケーリングされるように描かれておらず、本発明を単に例示するために提供される。本発明の幾つかの態様は、例示のために応用を参照して以下に記載される。様々な特定の詳細、関係、及び方法は、本発明の完全な理解を提供するために述べられる。しかし、当業者であれば、本発明は１以上の特定の詳細なしに実施されるか又は他の方法により実施することができることを容易に認識されるであろう。他の例では、公知の構造又は動作は、本発明を曖昧にすることを回避するために詳細に示されていない。本発明は、動作又はイベントの例示された順序付けにより限定されず、幾つかの動作は、異なる順序で及び／又は他の動作又はイベントと同時に行われる場合がある。さらに、本発明に係る方法論を実現するために、すべての例示される動作又はイベントは必要とされない。
【０００９】
図１を参照して、本発明の様々な実施の形態に係る例示的な通信装置１００の例が提供される。通信装置１００は携帯用ＬＭＲ装置であるように図１に示されているが、本発明の様々な実施の形態は、この点に限定されない。例えば、通信装置１００は、代替的に、限定されるものではないが、携帯電話、携帯無線電話、パーソナルデジタルアシスタント、グローバルポジショニングデバイス、パーソナルコンピュータ、テレビジョン、車両通信装置又は他の通信装置を含む。これらの実施の形態にそれぞれにおいて、通信装置１００は、筐体１０４、アンテナ１０６及び内部回路（図１に図示せず）を一般に含む。また、通信装置１００は、制御エレメント１０２及び他のユーザインタフェースコンポーネント１０８をも含む。
【００１０】
本発明の幾つかの実施の形態では、図１に示される通信装置１００は、データ通信サービス、個人のコールサービス又はグループコールサービスのサービスユーザへの提供を容易にするために一般に構成される。データ通信サービスは、サービスユーザがデータメッセージを送出及び／又は受信することができるサービスである。個人のコールサービスは、サービスユーザが１つの他のサービスユーザと会話をすることができるサービスである。グループコールサービスは、サービスユーザが特定の会話グループ又はソーシャルメディアプロファイルと関連される１以上のサービスユーザと会話をすることができるサービスである。グループコールサービスは、ＰＴＴグループコールサービスにより実現される。ＰＴＴグループコールサービスは、通信装置１００の制御エレメント１０２を作動させることで、ＰＴＴサービスユーザが特定の会話グループ又はソーシャルメディアプロファイルの他のＰＴＴサービスユーザと即座に会話することができるインスタントサービスである。
【００１１】
通信装置１００は、ＬＭＲに基づく通信システム、ＧＰＳ（Global  Positioning  System）、携帯電話に基づく通信システム又は他の無線通信システムで動作するように構成される。携帯電話に基づくシステムは、限定されるものではないが、第二世代（２Ｇ）に準拠した無線電話システム、第三世代（３Ｇ）に準拠した無線電話システム、第四世代（４Ｇ）に準拠した無線電話システム、及び／又は何れか将来的な無線電話システムで動作するように構成される。係る実施の形態では、通信装置１００は、２Ｇ，３Ｇ，４Ｇ又は他の無線電話システムを介して利用可能な現在のデータサービス及び／又は将来のデータサービスをサポートする。しかし、本発明の様々な実施の形態は、この点に関して限定されない。
【００１２】
通信装置１００は、単一の通信プロトコル又は複数の通信プロトコルを採用することができる。例えば、通信装置１００がＬＭＲ装置である場合、１以上の以下の通信プロトコルを採用することができる。ＴＥＴＲＡ（Terrestrial  Trunked  Radio）トランスポートプロトコル、Ｐ２５トランスポートプロトコル、ＯＰＥＮＳＫＹ（登録商標）プロトコル、及びＥＤＡＣＳ（Enhanced  Digital  Access  Communication  System）プロトコル。通信装置１００が携帯電話である場合、以下の通信プロトコルのうちの１以上を採用することができる。ＷＣＤＭＡ（Wideband  Code  Division  Multiple  Access）に基づくプロトコル、ＣＤＭＡ（Code  Division  Multiple  Access）に基づくプロトコル、ＷＬＡＮ（Wireless  Local  Area  Network）に基づくプロトコル、ＥＤＧＥ（Enhanced  Data  rates  for  GSM  Evolution）ネットワークに基づくプロトコル、ＬＴＥ（Long  Term  Evolution）ネットワークに基づくプロトコル。しかし、本発明の様々な実施の形態は、この点に関して限定されない。
【００１３】
通信装置１００の詳細なブロック図は、図２で提供される。特に、通信装置１００は、図２に示されるものよりも多くのコンポーネントを含むか又は少ないコンポーネントを含む。しかし、図示されるコンポーネントは、本発明の例示的な実施の形態を開示するために十分である。
【００１４】
図２に示されるように、通信装置１００は、無線周波（RF）信号を受信及び送信するアンテナ１０６を有する。受信／送信（Rx/Tx）スイッチ２０４は、アンテナ１０６を送信機回路２０６及び受信機回路２０８に選択的に結合する。受信機回路２０８は、（図２に示されない）ネットワークから受信されたＲＦ信号を復調及び復号化して、受信されたＲＦ信号から情報を導出する。受信機回路２０８は、電気的なコネクション２３４を介してコントローラ２１０に結合される。受信機回路２０８は、復号化されたＲＦ信号の情報をコントローラ２１０に供給される。コントローラ２１０は、通信装置１００の機能に従って、復号化されたＲＦ信号の情報を使用する。
【００１５】
コントローラ２１０は、情報をＲＦ信号に符号化及び変調する送信機回路２０６に情報を供給する。従って、コントローラ２１０は、電気的なコネクション２３８を介して送信機回路２０６に結合される。送信機回路２０６は、（図２に図示されないネットワーク機器といった）外部装置への送信のため、ＲＦ信号をアンテナ１０６に伝達する。
【００１６】
アンテナ２４０は、ＧＰＳ信号を受信するＧＰＳ（Global  Positioning  System）の受信機回路２１４に結合される。ＧＰＳ受信機回路２１４は、ＧＰＳ信号を復調及び復号化し、ＧＰＳ信号からＧＰＳ位置情報を抽出する。ＧＰＳ位置情報は、通信装置１００の位置を示す。ＧＰＳ受信機回路２１４は、復号化されたＧＰＳ位置情報をコントローラ２１０に提供する。係るように、ＧＰＳ受信機回路２１４は、電気的なコネクション２３６を介してコントローラ２１０に結合される。コントローラ２１０は、通信装置１００の機能に従って、復号化されたＧＰＳ位置情報を使用する。
【００１７】
コントローラ２１０は、通信装置１００のメモリ２１２に、復号化されたＲＦ信号の情報と復号化されたＧＰＳ位置の情報を記憶する。従って、メモリ２１２は、電気的なコネクション２３２を通してコントローラ２１０に接続され、コントローラによりアクセス可能である。メモリ２１２は、揮発性及び／又は不揮発性メモリエレメントを含む。例えば、メモリ２１２の揮発性メモリエレメントは、限定されるものではないが、ＤＲＡＭ（Dynamic  Random  Access  Memory）及びＳＲＡＭ（Static  Random  Access  Memory）エレメントのようなＲＡＭ（Random  Access  Memory）エレメントを含む。メモリ２１２の不揮発性メモリは、プログラマブルリードオンリメモリ（PROM）及びフラッシュメモリエレメントのようなＲＯＭ（Read-Only  Memory）エレメントを含む。
【００１８】
図２に示されるように、１以上の命令のセット２５０は、メモリ２１２に記憶される。命令２５０は、通信装置１００により命令の実行の間にコントローラ２１０内に、完全に又は少なくとも部分的にある。この点に関して、メモリ２１２及びコントローラ２１０は、コンピュータ読み取り可能なメディアを構成する。ここで使用されたとき、用語「コンピュータ読み取り可能なメディア」は、１以上の命令のセット２５０を記憶する単一のメディア又は複数のメディアを示す。また、ここで使用されたとき、用語「コンピュータ読み取り可能なメディア」は、通信装置１００による実行のための命令のセット２５０を記憶、符号化又は担持可能な非推移的なメディアであって、この開示の１以上の方法を通信装置１００に実行させる非推移的なメディアを示す。
【００１９】
また、コントローラ２１０は、ユーザインタフェース２３０を接続される。ユーザインタフェース２３０は、入力装置２１６、出力装置２２４、及び、コンピューティング装置１００でインストールされるソフトウェアアプリケーション（図２に図示せず）とユーザが対話してソフトウェアアプリケーションを制御するのを可能にするために構成されるソフトウェアルーチン（図２に図示せず）から構成される。係る入力及び出力装置のそれぞれは、限定されるものではないが、ディスプレイ２２８、スピーカ２２６、キーボード２２０、方向性パッド（図２に図示せず）、方向性ノブ（図２に図示せず）、マイクロフォン２２２及び制御エレメント（例えばＰＴＴボタン又はスイッチ）１０２を含む。ディスプレイ２２８は、タッチスクリーンの入力を受けるように設計される。
【００２０】
ユーザインタフェース２３０は、グループコールアプリケーション、ＰＴＴコールアプリケーション（図２に図示せず）、ソーシャルメディアアプリケーション、インターネットアプリケーション、及びコンピューティング装置１００でインストールされる他のタイプのアプリケーションを始動するユーザソフトウェアインタラクションを容易にするように動作する。グループコール及びＰＴＴコールアプリケーション（図２に図示せず）は、グループコールサービスを通信装置１００のユーザに提供するように動作する。
【００２１】
本発明の１実施の形態によれば、制御エレメント１０２は、ＰＴＴグループ選択スイッチとして機能するために構成される。係るように、制御エレメント１０２は、異なるグループ及び／又は個人と関連付けされる様々な位置間で調節可能なスイッチエレメントをユーザに提供する。従って、特定のグループ又は個人へのＰＴＴコールは、適切な位置に制御エレメント１０２の位置をはじめに調節することでユーザにより始動される。その後、コールアプリケーションが開始される。コールアプリケーションは、通信装置１００のユーザへのコールサービスの提供を容易にする。係るように、コールアプリケーションは、通信動作を行うために動作する。通信動作は、限定されるものではないが、メッセージ生成動作、メッセージ通信動作、音声パケット記録動作、音声パケット問い合わせ動作、及び音声パケット通信動作を含む。
【００２２】
本発明の様々な実施の形態では、制御エレメント１０２は、ＰＴＴグループ選択機能以外の通信装置１００の他の機能を制御するためにも構成される。係るように、制御エレメント１０２は、制御エレメント１０２の他の機能を選択及び／又は制御するために使用される更なる選択手段を有する。本発明の様々な実施の形態では、制御エレメント１０２の更なる選択手段は、制御エレメント１０２の表面上の圧力感知手段として実現される。従って、通信装置１００の異なる機能は、（例えば２秒未満又は２秒を超える）予め定義された期間について、（例えば制御エレメント１０２の表面上の１以上の二次スイッチ又はボタンの押下を介するといった）圧力感知手段の作動に応答して、制御エレメント１０２を介して選択される。機能は、限定されるものではないが、音量機能、選局機能、消音機能、輝度選択機能、「オン／オフ」機能、再生機能、巻き戻し機能、早送り機能、ポーズ機能、チャネルリコール機能、カメラ機能、会話グループ選択機能、メディアプロファイル選択機能、緊急呼出機能、マップ選択機能、優先選択機能及びユーザ選択機能、を含む。しかし、本発明の実施の形態は、この点に限定されるものではなく、他の機能を選択することもできる。
【００２３】
上述されたように、制御エレメント１０２は、通信装置１００の特定の機能を制御する複数の位置を有するスイッチエレメントとして構成される。本発明の様々な実施の形態では、スイッチエレメントは、スイッチングデバイスを含み、この場合、複数の位置は、直線運動（垂直方向又は水平方向）、回転運動、旋回運動、又はこれらの組み合わせに基づいて動作するメカニカルアクチュエータを介して選択される。例えば、通信装置１００の特定の機能は、制御エレメントの中心軸に関して、或いは動きの軸又は経路に沿って、制御エレメント１０２の一部の回転に応答して制御エレメント１０２により制御される。制御される機能は、限定されるものではないが、音量機能、選局機能、消音機能、輝度選択機能、「オン／オフ」機能、再生機能、巻き戻し機能、早送り機能、ポーズ機能、チャネルリコール機能、カメラ機能、会話グループ選択機能、緊急呼出機能、マップ選択機能、優先度選択機能、ユーザインタフェース選択機能及びメディアプロファイル選択機能を含む。
【００２４】
本発明の様々な実施の形態はメカニカルスイッチエレメントに関して記載されたが、本発明の様々な実施の形態は、この点に関して限定されない。本発明の他の実施の形態では、制御エレメント１０２は、電子的なスイッチエレメントを介して実現される。例えば、タッチスクリーン又はタッチパッド技術は、本発明の様々な実施の形態に従って、動き及び圧力感知手段をもつ仮想制御エレメントを実現するために構成することができる。
【００２５】
ここで図３〜図５を参照して、本発明の実施の形態に係る、制御エレメント１０２の第一の例示的な実施の形態を含む通信装置１００の一部の様々な例示が提供される。図３は、制御エレメント１０２の第一の例示的な実施の形態を含む通信装置１００の上面図である。図４は、制御エレメント１０２の第一の例示的な実施の形態を含む通信装置１００の一部の正面図である。図５は、図３における断面５−５に沿った、制御エレメント１０２の第一の例示的な実施の形態を含む、通信装置１００の一部の断面図である。
【００２６】
図３〜図５で例示される実施の形態では、ここで例示される制御エレメント１０２は、回転運動（すなわち制御エレメント１０２は、軸３６０に関して回転運動３５５を提供する）に基づいている。しかし、図３〜図５における制御エレメント１０２を実現する様々なやり方が存在することを理解されたい。係るように、本発明は、図３〜図５に示される特定の構成に限定されない。
【００２７】
図３〜図５に示されるように、制御エレメント１０２は、一次アクチュエータ３０２、アクチュエーティングメンバ３０４（例えばシャフト又はレバー）、二次アクチュエータ３０６、スイッチ３０８、及び複数の切り替え位置を有するスイッチボディ３１２を含む。スイッチボディ３１２は、コントローラ２１０への信号３１３を生成するために使用される。制御エレメント１０２は、スイッチボディ３１２を介して又は個別に、スイッチ３０８をコントローラ２１０に接続するためにワイヤリングエレメント（図示せず）を含む。図３〜図５に示されるように、制御エレメント１０２は、通信装置１００の筐体１０４に配置され、これにより一次アクチュエータ３０２は、そこから外側に少なくとも部分的に投影し、末端面（distal  surface）部分３０２ａ及び外側面（lateral  surface）部分３０２ｂが定義される。しかし、本発明の様々な実施の形態は、この点に関して制限されない。例えば、一次アクチュエータ３０２は、代替的に、筐体１０４の隣接する最も外側の表面（outermost  surface）３０１に関して埋め込まれる。
【００２８】
図３〜図５に例示される実施の形態では、一次アクチュエータ３０２は、一般に円筒形状を有し、中心軸３６０に沿って延びる。幾つかの実施の形態では、一次アクチュエータ３０２は、従来の円筒形状から幾分逸脱するフォームを有することができる。従って、例えば一次アクチュエータ３０２は、凸側又は凹側を有する。また、一次アクチュエータ３０２の表面は、滑らかにされるか又はギザギザにされる。
【００２９】
一次アクチュエータ３０４は、アクチュエーティングメンバ３０４の第一の端に従事し、アクチュエーティングメンバ３０４の第二の端は、スイッチボディ３１２に従事するか又はインタフェースで接続されるように構成される。１実施の形態によれば、アクチュエーティングメンバ３０４は、筐体１０４の表面３０１において形成される（図３〜図５で示されない）チャネル内で誘導される。一次アクチュエータ３０２は、アクチュエーティングメンバ３０４に、これに印加される回転力を伝達するために更に構成される。伝達される回転力により、アクチュエーティングメンバ３０４が移動し（すなわち軸３６０に関して回転し）、複数の切り替え位置の間でスイッチボディ３１２を推移させる。切り替え位置を通して推移させることで、スイッチボディ３１２は、通信装置１００の選択された機能を制御する信号を提供する。
【００３０】
本発明の様々な実施の形態では、適切な感知手段は、スイッチボディの切り替え位置の変化の検出のために設けられる。感知手段は、センサ情報をコントローラ２１０に伝達することで、動きの速度及び／又は動きの量を検出することができる。感知手段は、メカニカルな感知手段（図示せず）、電気的な感知手段（図示せず）、電子−機械感知手段（図示せず）、又は電子−光感知手段（図３に示される）とすることができる。例えば、１実施の形態では、メンバ３０４及びスイッチボディ３１２は、メカニカル回転スイッチを提供するために構成される。本発明の別の実施の形態では、アクチュエーティングメンバ３０４は、１以上の端で形成される複数のスキャンライン３３４を有する。スイッチボディ３１２は、（図３に示される）安静位からの回転の発生を判定するため、スキャンラインを走査するために構成される光位置検出器を含む。回転の量及び／又は速度を評価するための情報がコントローラ２１０に供給される。その後、通信装置１００は、ボタンの回転の量及び／又は速度に基づいて、通信装置１００の動作パラメータを変える動作を行う。スイッチにおけるエレメントの動きを測定及び／又は検出する多くの公知の技術が存在し、限定することなしに、何れかの係る技術が使用される。
【００３１】
図３〜図５で例示される実施の形態では、制御エレメント１０２は、一次アクチュエータ３０２の外側面の部分３０２ｂの一部で印加される作動エネルギー（activation  force:  FACT）を介して動作可能な圧力センサ３１４を有する。特に、図３〜図５に例示される実施の形態は、外側面の部分３０２ｂに配置される二次アクチュエータ３０６、一次アクチュエータ３０２内に配置されるスイッチ３０８を含む。本実施の形態では、二次アクチュエータ３０６は、通信装置の特定の関数を制御するため、図５に示される安静位から（図５における破線により示される）作動位置に移行される。位置の数位は、（例えば２秒未満である）短時間又は（例えば２秒を超える）長期間について二次アクチュエータ３０６の露出された部分を押し下げることで達成される。二次アクチュエータ３０６の押し下げの結果として、スイッチ３０８は、二次アクチュエータ３０６が作動位置にあることを示すように、閉じた位置又は開いた位置で配置される。スイッチ３０８の状態は、通信装置２００のコントローラ２１０に通信可能に結合されるワイアリングエレメントを介してモニタされる。幾つかの実施の形態では、コントローラ２１０は、（ａ）スイッチ３０８が作動される時間（すなわち二次アクチュエータ３０６が押下される時間）を追跡し、（ｂ）押下期間に基づいて、通信装置１００の動作パラメータを変える、動作を行う。
【００３２】
本発明の様々な実施の形態では、二次アクチュエータ３０６は、一次アクチュエータ３０２の動きの間、又は一次アクチュエータ３０２の動きの前の１以上の期間について、図３に示される安静位から（スイッチ３０８を作動させる）作動位置に移行されるように構成される。従って、本発明の様々な実施の形態において、通信装置１００の複数の機能は、圧力センサ３１４の状態、制御エレメント１０２の位置及び／又は動きの検出を介して制御される。例えば、通信装置１００の第一の機能は、圧力センサ３１４の作動がない場合に、一次アクチュエータ３０２の量に応答して制御される。通信装置１００の第二の機能は、圧力センサ３１４の作動と組み合わせて一次アクチュエータ３０２の動きに応答して制御される。一次アクチュエータ３０２の動きの間に圧力センサ３１４の状態をモニタするのに加えて、一次アクチュエータ３０２の動きの前に圧力センサ３１４の状態がモニタされ、制御されるべき機能を決定するために使用される。例えば、通信装置１００の異なる機能は、異なる期間について圧力センサ３１４の作動に続いて一次アクチュエータ３０２の動きに応答して制御される。代替的に、通信装置１００の異なる機能は、ある期間について圧力センサ３１４の異なる数の作動に続いて一次アクチュエータ３０２の動きに応答して制御される。さらに、通信装置１００の機能は、一次アクチュエータ３０２の動きなしに、圧力センサ３１４の作動を介して制御される。
【００３３】
図５に例示される実施の形態では、圧力センサ３１４は、スイッチの対３０８を作動させる２つの二次アクチュエータ３０６を介して実現される。さらに、圧力センサ３１４が図３〜図５で例示される実施の形態において作動されている信号を提供するため、両方のスイッチ３０８は、同時に作動される必要がある。しかし、幾つかの実施の形態では、この点に関して限定されない。幾つかの実施の形態では、単一の二次アクチュエータ及びスイッチは、圧力センサ３１４について提供される。スイッチの３０８のうちの唯一の作動は、圧力センサの作動する示すために使用される。しかし、アクチュエータ／スイッチのデュアルコンフィギュレーションの使用は、ある機能の不注意な選択を防止するために典型的に有効である。むしろ、図３〜図５におけるコンフィギュレーションはスイッチ２０８の調整された作動を必要とするので、更なる機能を不注意に作動する可能性が著しく低減される。
【００３４】
本発明の実施の形態によれば、通信装置１００の様々な機能は、ユーザの３つの基本的なアクションに応答して制御される。これら３つの基本的なアクションは、一次アクチュエータ３０２を回転するアクション、二次アクチュエータ３０６を強く押すか又は押圧するアクション、及び二次アクチュエータ２０６を同時に強く押すか又は押圧すると同時に、一次アクチュエータ３０２を回転させるアクション、を含む。本発明の実施の形態は、この点に限定されない。
【００３５】
上述されたように、圧力センサ３１４の作動の様々な組み合わせは、通信装置１００の様々な機能を制御するため、一次アクチュエータ３０２の動きと組み合わされる。例えば、本発明の幾つかの実施の形態では、通信装置１００は、ＬＭＲ装置又は他の無線通信装置である。従来のＬＭＲ装置では、上述されたように、ユーザは、一般に、２つの手を使用し、及び／又は１つの機能にアクセスするためにＬＭＲ装置の２以上の制御を動作することが必要とされる。しかし、様々な状況では、係るコンフィギュレーションは、望ましくないか又は非実用的である。例えば、幾つかの例では、ユーザの手のうちの１つは他のタスクにより支配されている場合がある。別の例では、複数の制御の動作は、更なる時間及び／又はユーザの側での集中を必要とする場合があり、従ってユーザが彼の注意を手元のタスクからそらされるのを必要とし、おそらくユーザ又はユーザにより注意を払われている人物を危機にさらすことになる。従って、本発明の様々な実施の形態では、圧力センサ３１４の作動と一次アクチュエータ３０２との動きは、通信装置１００を制御するために、直感的な組み合わせのセットをユーザに提供するように選択される。
【００３６】
例えば、本発明の１実施の形態では、ユーザアクションの簡単なセットが複数の機能を制御するために選択される。例えば、ＬＭＲ装置は、一般的に、少なくともチャネル／グループ選択機能、ボリューム調節機能、及びＰＴＴ機能を含む。従って、本発明の１実施の形態では、制御エレメント１０２は、以下に記載されるように、ＬＭＲ装置の機能を制御するために構成される。チャネル／グループ選択機能は、圧力センサ３１４の作動なしに、一次アクチュエータ３０２の動きにより制御される。対照的に、ボリューム調節機能は、圧力センサ３１４の同時の作動と共に、一次アクチュエータ３０２の動きにより制御される。最終的に、選択されたグループに対するＰＴＴコールは、一次アクチュエータ３０２の動きなしに、圧力センサ３１４の作動により始動される。幾つかのコンフィギュレーションでは、ＰＴＴコールの間のボリュームの調節は、一次アクチュエータ３０２のその後の、同時の動きにより実行される。従って、直感的なインタフェースが提供され、このインタフェースでは、グループ／チャネルの調節が一次アクチュエータ３０２の動きのみと常に関連付けされ、ボリューム調節が一次アクチュエータ３０２の動き及び圧力センサ３１４の作動と常に関連付けされ、ＰＴＴコールは、圧力センサ３１４の作動のみにより常に始動される。しかし、本発明の様々な実施の形態は、上述された機能及びユーザアクションのコンフィギュレーションに限定されない。
【００３７】
幾つかの実施の形態では、上述されたコンフィギュレーションは、更なる機能の制御を提供するため、他の基本的なユーザアクションの検出を含むように拡張することができる。例えば、更なる機能は、圧縮センサ３１４の２（又は２を超える）作動により、そしてある期間内の一次アクチュエータ３０２のその後の動きなしに制御されるか又は始動される。別の例では、更なる機能は、ある期間内の一次アクチュエータ３０２のその後の動きにより後続される圧縮センサ３１４の２（又は２を超える）作動により制御又は始動される。
【００３８】
さらに、本発明の様々な実施の形態は、LMR及び他の双方向の通信装置の制御のみに限定されない。例えば、本発明の他の実施の形態では、制御エレメント１０２は、（図１〜図５に示されない）テレビジョン又は（図１〜図５に示されない）テレビジョンのリモートコントローラのような、他のタイプの装置に配置することができる。このシナリオでは、音量機能、選局機能、パワートグル機能は、圧力センサ３１４の作動及び一次アクチュエータ３０２の動きの組み合わせに応答して、制御エレメント１０２により制御することができる。例えば、選局機能は、圧力センサ３１４の作動なしに、一次アクチュエータ３０２の動きにより制御される。対照的に、音量調節機能は、圧力センサ３１４の同時の作動と共に、一次アクチュエータ３０２の動きにより制御される。最後に、テレビジョンの電力は、一次アクチュエータ３０２の動きなしに、圧力センサ３１４の作動により切り替えられる。従って、直感的なインタフェースが提供され、このインタフェースでは、チャネルの選択は、一次アクチュエータ３０２の動きと常に関連され、音量調節は、一次アクチュエータ３０２の動き及び圧力センサ３１４の作動に常に関連され、電力のトグルは、圧力センサ３１４の作動のみにより常に始動される。しかし、本発明の様々な実施の形態は、上述された機能及びユーザアクションのコンフィギュレーションに限定されない。
【００３９】
さらに、上述されたコンフィギュレーションは、更なる機能の制御を提供するため、他の基本的なユーザアクションの検出を含むように拡張される。例えば、更なる機能は、圧力センサ３１４の２（又は２を超える）作動及びある期間内の一次アクチュエータ３０２のその後の動きなしに制御されるか又は始動される。別の例において、更なる機能は、ある期間内の一次アクチュエータ３０２のその後の動きにより後続される圧力センサ３１４の２つの（又は２を超える）作動により制御又は始動される。
【００４０】
図３〜図５に例示される実施の形態では、制御エレメント１０２の様々なコンポーネントは、メカニカルな作動に基づく。すなわち、ユーザは、作動エネルギー（ＦACT）で二次アクチュエータ３０６をダイレクトに作動して、二次アクチュエータの動きを生じさせ、スイッチ３０８を作動する。しかし、本発明の様々な実施の形態は、この点に関して限定されない。例えば、本発明の幾つかの実施の形態において、制御エレメント１０２のコンポーネントの少なくとも幾つかは、水圧の作動に基づく。係るコンフィギュレーションは、図６に示される。図６は、制御エレメント６０２の第二の例示的な実施の形態を含む、通信装置１００の一部の断面図である。図６のビューは、図３における断面５−５に類似した通信装置１００の断面に沿って取得される。
【００４１】
図６に示される例示的な実施の形態では、制御エレメント６０２は、回転運動に基づく（すなわち制御エレメント６０２は回転スイッチである）。しかし、図６における制御エレメント６０２の実施の形態を実現する様々な方法が存在することを理解されたい。係るように、本発明は、図６に示される特定の構成に限定されない。
【００４２】
図６に示されるように、制御エレメント６０２は、図３〜図５における制御エレメント１０２のコンフィギュレーションに類似して、一次アクチュエータ６０２、アクチュエーティングメンバ６０４（例えばシャフト又はレバー）、二次アクチュエータ６０６、スイッチ６０８、及び複数の切り替え位置を有するスイッチボディ６１２を含む。また、制御エレメント６０２は、スイッチボディ６１２を介して又は独立にスイッチ６０８をコントローラ２１０に接続するワイヤリングエレメント（図示せず）を含む。従って、図３〜図５におけるコンポーネント３０２〜３１２の先の記載は、図６におけるコンポーネント６０２〜６１２の一般的なコンフィギュレーション及び動作を記述するに十分である。しかし、図３〜図５のコンフィギュレーションと図６のコンフィギュレーションとの間の大きな違いは、図６における一次アクチュエータ６０２の上側部分が、油圧アクチュエータ６１６を備えており、このアクチュエータは、液体５１８で満たされ、一次アクチュエータ６０２に取り付けられ、二次アクチュエータ３０６の上に配置される。動作において、作動エネルギー（ＦACT）が油圧アクチュエータ６１６に関連する外側面６０２ｂに印加されたとき、油圧アクチュエータ６１６での圧力により、油圧アクチュエータは図６に示されるように内側に変形する。油圧アクチュエータ６１６の変形により、液体６１８に二次アクチュエータ６０６に対する動水力（ＦHYD）を印加させる。二次アクチュエータ６０６での結果として得られる力により、図６に示されるように、二次アクチュエータの動きを生じさせ、従ってスイッチ６０８を作動する。このように、図６における圧力センサ６１４は、二次アクチュエータ６０６及びスイッチ６０８を含むだけでなく、油圧アクチュエータ６１６及び液体６１８を含む。
【００４３】
一般に、幾つかのタイプの変形可能なコンポーネントは、延長された期間を通して多数の変形からの疲労のために損傷される。このプロセスは、環境の条件により加速される。本発明の幾つかの実施の形態では、油圧アクチュエータ６１６の変形の量は、幾つかのやり方で制御される。例えば油圧アクチュエータ６１６を形成するために使用される寸法及び材料は、変形の量が印加される外部の力の範囲について制限されるように選択される。他の実施の形態では、実質的に堅いフレーム６２０は、印加される外部後からの範囲について変形の量を制限するように、油圧アクチュエータ６１６内で形成される。しかし、本発明の様々な実施の形態は、この点に関して限定されず、変形を制限する他の方法も同様に適用可能である。
【００４４】
本発明の様々な実施の形態では、図６における制御エレメント６０２のコンフィギュレーションは、同時の圧力センサの作動と一次アクチュエータ６０２の動きとを必要とするユーザアクションの間に制御エレメント６０２の動作を容易にするように選択することができる。図６のコンフィギュレーションでは、ユーザは、油圧アクチュエータ６１６を変形させる外部の圧力と、制御エレメント６０２の油圧アクチュエータ６１８の部分での一次アクチュエータ６０２の位置を変える力の両者を適用する。従って、図６におけるように、制御エレメント６０２のロータリスイッチのコンフィギュレーションの場合、油圧アクチュエータ６１６の材料及び構造は、油圧アクチュエータが、印加される回転力の大部分を全てではないが一次アクチュエータ６０２に伝達するために十分に堅いように選択される。例えば、幾つかの実施の形態では、油圧アクチュエータ６１６を含む材料及びそれらの構成は、結果として得られるアクチュエータが半径方向のみにおいて好適に変形するように選択される。他の実施の形態では、実質的に堅いフレーム６２０は、力を一次アクチュエータ６０２に伝達するため、油圧アクチュエータ６１６内で形成される。しかし、本発明の様々な実施の形態は、この点に限定されず、一次アクチュエータ６０２の調節の間に油圧アクチュエータ６１６の変形を制限する他の方法も同様に適用可能である。
【００４５】
同様に、線形、旋回、又は他の対応の運動に基づく制御エレメントの場合において、油圧アクチュエータにおける材料及び構造は、油圧アクチュエータが係る制御エレメントの一次アクチュエータに力の大部分を全てではないが伝達するのに十分に堅いように選択される。
【００４６】
図７を参照して、本発明の実施の形態に係る、（例えば図１の通信装置１００といった）通信装置の無線送受信機を制御する例示的な方法７００のフローダイアグラムが提供される。図７に示されるように、本方法７００は、ステップ７０２で開始し、ステップ７０４に進み、このステップ７０４で、（例えば図１の通信装置１００といった）通信装置がオンにされる。
【００４７】
次のステップ７０６では、（例えば図３〜図５における制御エレメント１０２の一次アクチュエータ３０２といった）制御エレメントに配置された圧力センサを作動することなしに、（例えば図１の制御エレメント１０２といった）制御エレメントを作動することで、会話グループが選択される。例えば、その現在の位置を所望の会話グループに関連される異なる位置に、（例えば図３〜図５における制御エレメント１０２の一次アクチュエータ３０２といった）一次アクチュエータを介して、制御エレメントを推移させることで、会話グループが選択される。本発明の幾つかの実施の形態では、通信装置は、それらの会話グループの選択のユーザを通知するため、聴覚の示唆及び／又は視覚の示唆を生成するために構成される。
【００４８】
ひとたび、ステップ７０６で会話グループが選択されると、本方法７００は、ステップ７０７に進み、ステップ７０７で、選択された会話グループの個人又はメンバへの呼び出しが開始される。本発明の１実施の形態では、呼び出しの開始は、切り替え位置の間で制御エレメントの推移なしに、（例えば２秒以上といった）期間について制御エレメントで圧力センサを作動させることで達成される。呼出しを開始した後、ステップ７０８が実行され、（例えば図１の通信装置１００といった）通信装置のユーザは、音声のような音を、通信装置の１以上のマイクロフォンに向ける。（例えば図１の通信装置１００といった）通信装置は、音を処理して音声信号を生成する。次いで、音声信号は、（例えば図１の通信装置１００といった）通信装置から、ネットワークを介して１以上の他の通信装置に伝達される。通信装置は、選択された会話グループのメンバである。
【００４９】
次のステップ７１０では、（図１の通信装置１００といった）通信装置のユーザは、制御エレメントで圧力センサをリリースする。幾つかの実施の形態では、読出しが即座に終了される。他の実施の形態では、呼び出しが１以上の呼び出しタイマの満了により終了されるまで開いたままであるか、又は呼び出しが呼び出しの開始者又は呼び出しのメンバのうちの１人により閉じられたときに開く。ステップ７１０で圧力センサが解除された後、（例えば図の通信装置１００といった）通信装置は、ステップ７１２における第二の通信装置から、音声のような音声信号を受信する。その後、ステップ７１４が実行され、前のステップ７１２で受信されたオーディオ信号に基づいて、（例えば図１の通信装置１００といった）通信装置から出力される。
【００５０】
音量調節が必要とされる場合、制御エレメントで圧力センサを作動させ、同時に現在の位置から異なる位置に制御エレメントを推移させることで、ステップ７１６で音量が増加又は減少される。さらに、別の機能の選択又は調節が必要とされる場合、係る選択又は調節は、一次アクチュエータの動きあり又はなしの場合との、制御エレメントの圧力センサの作動の別の組み合わせを提供することで、ステップ７１８で実行される。ステップ７１８を終了した後、ステップ７２０が実行され、本方法７００はステップ７０２に戻るか、又は他の処理が（例えば図１の通信装置１００といった）通信装置により実行される。
【００５１】
先の説明から明らかなように、本発明は、通信装置に従来の通信装置を超える所定の利点を提供する。例えば、通信装置の複数のアクション又は機能は、本発明の単一の制御エレメントを使用して選択又は制御される。実際には、ユーザは、本発明の単一の制御エレメントを通して機能の設定を変えるために１つの手を必要とするのみである。さらに、本発明の制御エレメントは、通信サイズの全体のサイズにおける減少を有利にも容易にする。本発明の比較的小さいサイズの通信装置は、通信装置の機能を制御する複数のロータリノブ及びボタンを含む従来の通信装置に比較して製造が安価となる。
【図１】
2013531919.tif 000003
【図２】
2013531919.tif 000004
【図３】
2013531919.tif 000005
【図４】
2013531919.tif 000006
【図５】
2013531919.tif 000007
【図６】
2013531919.tif 000008
【図７】
2013531919.tif 000009
【国際調査報告】
2013531919.tif 000010
2013531919.tif 000011